【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
第１投射型表示装置により投射される第１画像内の重複領域であって、前記第１投射型表示装置とは異なる第２投射型表示装置により投射される第２画像と重なる重複領域を特定する特定手段と、
前記特定手段により特定される重複領域内の位置における前記第１画像の明るさを低減させる補正処理に係る補正量を、前記第１画像が投射される領域に対する前記第２画像が投射される領域の方向に基づいて決定する決定手段と、
前記第１投射型表示装置により投射される前記第１画像に対する前記補正処理を、前記決定手段により決定される補正量に応じて行う補正手段とを有することを特徴とする画像処理装置。
【請求項２】
前記決定手段は、前記特定手段により特定される重複領域内の前記第２画像が投射される領域の中心から最も遠い第１頂点位置についての前記補正処理に係る補正量を、前記重複領域内の前記第２画像が投射される領域の中心から最も近い第２頂点位置についての前記補正処理に係る補正量よりも小さい値に決定することを特徴とする請求項１に記載の画像処理装置。
【請求項３】
前記決定手段は、前記特定手段により特定される重複領域内の各位置についての前記補正処理に係る補正量を、前記第１頂点位置についての前記補正処理に係る補正量以上の値であり且つ前記第２頂点位置についての前記補正処理に係る補正量以下の値に決定することを特徴とする請求項２に記載の画像処理装置。
【請求項４】
前記決定手段は、前記特定手段により特定される重複領域内の複数の位置それぞれについての前記補正処理に係る補正量を、前記第１頂点位置に近い位置に対応する補正量ほど小さい値に決定することを特徴とする請求項２又は３に記載の画像処理装置。
【請求項５】
前記決定手段は、前記特定手段により特定される重複領域の第１の辺上の複数の位置についての前記補正処理に係る補正量を第１の値に決定し、前記重複領域の前記第１の辺と対向する第２の辺上の複数の位置についての前記補正処理に係る補正量を第２の値に決定し、前記重複領域内の各位置についての前記補正処理に係る補正量を前記第１の値と前記第２の値の間の値に決定することを特徴とする請求項１乃至４の何れか１項に記載の画像処理装置。
【請求項６】
前記決定手段は、前記重複領域内の特定位置における前記第１画像の明るさを低減させる前記補正処理に係る第１補正量と、前記特定位置と重なる位置における前記第２画像の明るさを低減させる前記補正処理に係る第２補正量との和が所定の値となるように、前記第１補正量及び前記第２補正量を決定し、
前記補正手段は、前記第１画像に対する前記補正処理と前記第２画像に対する前記補正処理とを、前記決定手段により決定される前記第１補正量及び前記第２補正量に応じて行うことを特徴とする請求項１乃至５の何れか１項に記載の画像処理装置。
【請求項７】
前記特定手段は、前記第２投射型表示装置により投射される前記第２画像と重なる前記第１画像内の第１重複領域と、第３投射型表示装置により投射される第３画像と重なる前記第１画像内の第２重複領域と、前記第２画像及び前記第３画像の両方と重なる前記第１画像内の第３重複領域とを特定し、
前記決定手段は、前記特定手段により特定される前記第１重複領域内の位置、前記第２重複領域の位置、及び前記第３重複領域の位置それぞれについての前記補正処理に係る補正量を、前記第１画像が投射される領域に対する前記第２画像が投射される領域の方向と前記第３画像が投射される領域の方向とに基づいて決定することを特徴とする請求項１に記載の画像処理装置。
【請求項８】
前記決定手段は、前記第３重複領域内の特定位置における前記第１画像の明るさを低減させる前記補正処理に係る第１補正量と、前記特定位置と重なる位置における前記第２画像の明るさを低減させる前記補正処理に係る第２補正量と、前記特定位置と重なる位置における前記第３画像の明るさを低減させる前記補正処理に係る第３補正量との和が所定の値となるように、前記第１補正量、前記第２補正量、及び前記第３補正量を決定し、
前記補正手段は、前記第１画像に対する前記補正処理、前記第２画像に対する前記補正処理、及び前記第３画像に対する前記補正処理を、前記決定手段により決定される前記第１補正量、前記第２補正量、及び前記第３補正量に応じて行うことを特徴とする請求項７に記載の画像処理装置。
【請求項９】
複数の投射型表示装置による複数の投射領域の重複パターンと前記補正処理に係るパラメータとを対応付けて格納する格納手段を有し、
前記決定手段は、前記第１画像が投射される領域に対する前記第２画像が投射される領域の方向に基づいて前記重複パターンを特定し、当該特定された重複パターンと対応付けて前記格納手段により格納されているパラメータを用いて前記補正処理に係る補正量を決定することを特徴とする請求項１乃至８の何れか１項に記載の画像処理装置。
【請求項１０】
前記特定手段は、前記第１画像の１辺のうちの一部に沿う部分を前記重複領域として特定することを特徴とする請求項１乃至９の何れか１項に記載の画像処理装置。
【請求項１１】
前記画像処理装置は、前記第１投射型表示装置に実装されることを特徴とする請求項１乃至１０の何れか１項に記載の画像処理装置。
【請求項１２】
第１投射型表示装置により投射される第１画像内の重複領域であって、前記第１投射型表示装置とは異なる第２投射型表示装置により投射される第２画像と重なる重複領域を特定する特定工程と、
前記特定工程において特定される重複領域内の位置における前記第１画像の明るさを低減させる補正処理に係る補正量を、前記第１画像が投射される領域に対する前記第２画像が投射される領域の方向に基づいて決定する決定工程と、
前記第１投射型表示装置により投射される前記第１画像に対する前記補正処理を、前記決定工程により決定される補正量に応じて行う補正工程とを有することを特徴とする画像処理方法。
【請求項１３】
前記決定工程においては、前記特定工程において特定される重複領域内の前記第２画像が投射される領域の中心から最も遠い第１頂点位置についての前記補正処理に係る補正量が、前記重複領域内の前記第２画像が投射される領域の中心から最も近い第２頂点位置についての前記補正処理に係る補正量よりも小さい値に決定されることを特徴とする請求項１２に記載の画像処理方法。
【請求項１４】
前記特定工程においては、前記第２投射型表示装置により投射される前記第２画像と重なる前記第１画像内の第１重複領域と、第３投射型表示装置により投射される第３画像と重なる前記第１画像内の第２重複領域と、前記第２画像及び前記第３画像の両方と重なる前記第１画像内の第３重複領域とが特定され、
前記決定工程においては、前記特定工程において特定される前記第１重複領域内の位置、前記第２重複領域の位置、及び前記第３重複領域の位置それぞれについての前記補正処理に係る補正量が、前記第１画像が投射される領域に対する前記第２画像が投射される領域の方向と前記第３画像が投射される領域の方向とに基づいて決定されることを特徴とする請求項１２に記載の画像処理方法。
【請求項１５】
コンピュータを、請求項１乃至１１の何れか１項に記載の画像処理装置の各手段として動作させるためのプログラム。
【手続補正２】
【補正対象書類名】明細書
【補正対象項目名】０００９
【補正方法】変更
【補正の内容】
【０００９】
上記の目的を達成する本発明に係る画像処理装置は、
第１投射型表示装置により投射される第１画像内の重複領域であって、前記第１投射型表示装置とは異なる第２投射型表示装置により投射される第２画像と重なる重複領域を特定する特定手段と、
前記特定手段により特定される重複領域内の位置における前記第１画像の明るさを低減させる補正処理に係る補正量を、前記第１画像が投射される領域に対する前記第２画像が投射される領域の方向に基づいて決定する決定手段と、
前記第１投射型表示装置により投射される前記第１画像に対する前記補正処理を、前記決定手段により決定される補正量に応じて行う補正手段とを有することを特徴とする。
【手続補正３】
【補正対象書類名】明細書
【補正対象項目名】０００１
【補正方法】変更
【補正の内容】
【０００１】
本発明は、複数の投射型画像表示装置を用いて重複領域を設けてマルチスクリーン画面を構成するための画像処理装置、画像処理方法及びプログラムに関するものである。
【手続補正４】
【補正対象書類名】明細書
【補正対象項目名】発明の名称
【補正方法】変更
【補正の内容】
【発明の名称】画像処理装置、画像処理方法及びプログラム